(57)【要約】      （修正有）【課題】種々の用途に応じた透明導電膜ガラスヒーター装置を提供する。【解決手段】ガラス板２の一方又は両方の面に形成されている透明導電膜３と、透明導電膜に給電する電極６とを備えてなる発熱部材１ａと、電極に電力を供給する給電部材７と、を備えている透明導電膜ガラスヒーター装置。【選択図】図１
2019016475.tif 000002
【特許請求の範囲】
【請求項１】
ガラス板の一方又は両方の面に形成されている透明導電膜と、当該透明導電膜に給電する電極とを備えてなる発熱部材と、
前記電極に電力を供給する給電部材と、
を備えている透明導電膜ガラスヒーター装置。
【請求項２】
前記発熱部材は前記透明導電膜ガラスが筒状に形成された筒状体からなり、
前記筒状体のどちらか一方の開口から前記筒状体内に向けて送風する送風手段を更に備えている請求項１記載の透明導電膜ガラスヒーター装置。
【請求項３】
複数枚の前記発熱部材が隣接する前記発熱部材との間に間隔を空けて並列配置され、前記隣接する発熱部材同士の間に形成されている空間部に向けて送風する送風手段が更に配備されている請求項１記載の透明導電膜ガラスヒーター装置。
【請求項４】
浴槽を構成する床面、側壁面の中の少なくともいずれかが前記発熱部材で形成されている請求項１記載の透明導電膜ガラスヒーター装置。
【請求項５】
２枚の前記発熱部材が、前記透明導電膜が形成されている面が互いに対向するように所定の間隔を空けて配置されている請求項１記載の透明導電膜ガラスヒーター装置。
【請求項６】
前記複数の発熱部材のうち、一方の発熱部材が、前記透明導電膜が形成されている面が互いに対向する方向へ移動可能に支持されている
請求項５記載の透明導電膜ガラスヒーター装置。
【請求項７】
前記透明導電膜は、酸化錫を基剤とする透明半導体セラミックスである
請求項１〜６の何れか一項に記載の透明導電膜ガラスヒーター装置。
【発明の詳細な説明】
【技術分野】
【０００１】
この発明は、透明導電膜ガラスヒーター装置に関する。
【背景技術】
【０００２】
透明導電膜ガラスを用いた発明が種々知られている。特許文献１には、透明でインテリア性に優れ、採光を遮ることがなく、安全で、遠赤外線を輻射して周囲を緩やかに加温すると共に、床面に貯留した冷気も吸い上げて暖めることができる、エントツ効果を有するパネルヒーター型の透明導電膜ガラスヒーターが提案されている。
【０００３】
特許文献２には、防曇機能を有すると共に、ガラス板の任意の位置に映像を表示することができ、映像映写中は映像以外の部分が透明であり、映像を表示しない時は全体が透明であるＥＬディスプレイ内蔵透明導電膜ガラス板が提案されている。
【先行技術文献】
【特許文献】
【０００４】
【特許文献１】特開２０１４−２１８３８５号公報
【特許文献２】特開２０１４−２２０１９２号公報
【発明の概要】
【発明が解決しようとする課題】
【０００５】
上記特許文献に提案されている透明導電膜ガラスを用いた発明以外にも、透明導電膜ガラスの他の用途の提案が望まれている。
【０００６】
この発明は、種々の用途に応じた透明導電膜ガラスヒーター装置を提供することを目的とする。
【課題を解決するための手段】
【０００７】
請求項１の発明は、ガラス板の一方又は両方の面に形成されている透明導電膜と、当該透明導電膜に給電する電極とを備えてなる発熱部材と、
前記電極に電力を供給する給電部材と、
を備えている透明導電膜ガラスヒーター装置である。
【発明の効果】
【０００８】
この発明によれば、種々の用途に応じた透明導電膜ガラスヒーター装置を提供することができる。
【図面の簡単な説明】
【０００９】
【図１】（ａ）、（ｂ）ともに、本発明が備える発熱部材の一例を表す図である。
【図２】本発明の透明導電膜ガラスヒーター装置の第一の実施形態を表す図である。
【図３】本発明の透明導電膜ガラスヒーター装置の第二の実施形態を表す図である。
【図４】本発明の透明導電膜ガラスヒーター装置の第三の実施形態を表す図である。
【図５】本発明の透明導電膜ガラスヒーター装置の第四の実施形態を表す図である。
【図６】本発明の透明導電膜ガラスヒーター装置の第五の実施形態を表す図である。
【発明を実施するための形態】
【００１０】
以下、添付図面を参照して、本発明の実施形態の一例を説明する。
【００１１】
［発熱部材の構成］
本実施形態の発熱部材は、ガラス板の一方又は両方の面に形成されている透明導電膜と、当該透明導電膜に給電する電極とを備えてなる。
【００１２】
図１（ａ）図示の例では、発熱部材１ａは、ガラス板２の一方の面に透明導電膜３が形成されてなる透明導電膜ガラス５、透明導電膜ガラス３に給電する電極６を備えている。また、図１（ａ）図示の発熱部材１ａでは、透明導電膜３の表面を覆っている絶縁膜４、給電部材７、制御部材８を備えた構成になっている。
【００１３】
図１（ｂ）図示の例では、発熱部材１ｂは、ガラス板２の両方の面に透明導電膜３が形成されてなる透明導電膜ガラス５、透明導電膜ガラス３に給電する電極６を備えている。また、図１（ｂ）図示の発熱部材１ｂでも、透明導電膜３の表面を覆っている絶縁膜４、給電部材７、制御部材８を備えた構成になっている。
【００１４】
図１図示の発熱部材１ａ、１ｂともに、遠赤外線を輻射して周囲を加温する。また、発熱部材１ａ、１ｂは、給電部材７と連結されている。
【００１５】
給電部材７は、発熱部材１ａ、１ｂへの給電を断続すると共に、給電量を制御して発熱部材１ａ、１ｂの温度及び発熱量を制御する制御部材８と連結される。
【００１６】
制御部材８は、発熱部材１ａ、１ｂの温度及び発熱量を制御する目的で１以上の温度センサーを設けることができる。また、制御部材８は、温度センサーからの情報及び／又は使用者からの入力に対応して、予め保存されたプログラムに従って給電量を制御し、発熱部材１ａ、１ｂの温度及び発熱量を制御するように設定することができる。
【００１７】
ガラス板２の一方又は両方の面に酸化錫を基剤とする透明半導体セラミックスを蒸着処理することによって薄膜の透明導電膜３が形成され、導電性が付与された透明導電膜ガラス５を得ることができる。
【００１８】
この透明導電膜ガラス５は７０％以上の可視光透過率を有しており、温度上昇特性は下記の表のとおりである。
【表１】
2019016475.tif 000003
【００１９】
図１図示の透明導電膜ガラス５では、透明導電膜３側の表面は透明の絶縁膜４で覆われている。
【００２０】
図１図示の透明導電膜ガラス５では、電極６が透明導電膜３の両側端部の全長にわたって透明導電膜３に連結している。電極６を透明導電膜３の両側端部の全長にわたって形成することによって、透明導電膜ガラス５の全面を均一な温度に発熱させることができる。図示の例では、銀ペーストを所定の温度で焼き付けて形成している。
【００２１】
このように、本実施形態の発熱部材では、ガラス板２の一方又は両方の面に酸化錫を基剤とする透明半導体セラミックスを蒸着してなる透明導電膜３に電極６を加工・取付・通電することで透明導電膜ガラス５が発熱する。そして、透明導電膜ガラス５は化学的に安定した透明性と導電性、表１のような温度特性を有している。
【００２２】
そこで、本実施形態の発熱部材を種々の用途に使用することができる。
【００２３】
［第一の実施形態］
図２図示の透明導電膜ガラスヒーター装置９ａは、図１（ａ）図示の発熱部材１ａと給電部材７、制御部材８が所定の形状の筐体１０内に配備されてなる加熱調理機器の一例である。
【００２４】
図１（ａ）図示の発熱部材１ａでは、上述したように、ガラス板２の一方の面に酸化錫を基剤とする透明半導体セラミックスを蒸着してなる透明導電膜３に電極６を加工・取付・通電することで透明導電膜ガラス５が発熱する。そして、透明導電膜ガラス５は化学的に安定した透明性と導電性、表１のような温度特性を有している。
【００２５】
したがって、加熱だけでなく、保温機能にも優れた透明導電膜ガラスヒーター装置を提供することができる。
【００２６】
［第二の実施形態］
図３図示の透明導電膜ガラスヒーター装置９ｂは、図１（ａ）図示の発熱部材１ａ、給電部材７、制御部材８と、送風手段１３とを備えている。
【００２７】
図示の形態では、発熱部材１ａは、透明導電膜ガラス５が筒状に形成された筒状体１２からなる。
【００２８】
給電部材７によって透明導電膜３が通電されると、透明導電膜ガラス５一方の面である筒状体１２の内周面１２ａが発熱し、筒状体１２の内部の空気が加温される。
【００２９】
送風手段１３は、送風ファンを使用することができ、筒状体１２の一方の開口部１４から筒状体１２の内部に向けて送風する。
【００３０】
透明導電膜ガラス５が発熱することによって加温された筒状体１２の内部の空気は、送風手段１３によって、矢印１５の方向へ送風され、対象となる空間が暖められる。
【００３１】
図１（ａ）図示の発熱部材１ａでは、上述したように、ガラス板２の一方の面に酸化錫を基剤とする透明半導体セラミックスを蒸着してなる透明導電膜３に電極６を加工・取付・通電することで透明導電膜ガラス５が発熱する。そして、透明導電膜ガラス５は化学的に安定した透明性と導電性、表１のような温度特性を有している。
【００３２】
したがって、例えば、自動車等の車内空間の暖房効果を高める等、暖房機能に優れた透明導電膜ガラスヒーター装置を提供することができる。
【００３３】
また、図示していないが、透明導電膜ガラスヒーター装置を鉄板焼き等のグリル調理機器として使用することができる。この場合、調理を行うヒーター面を透明導電膜３とし、透明導電膜３が形成されている以外の面に光の点滅を行わせる、任意の箇所に映像表示を行わせる等の情報表示手段を備える構成とすることで、調理するときの趣向が高まる透明導電膜ガラスヒーター装置を提供することができる。
【００３４】
［第三の実施形態］
図４図示の透明導電膜ガラスヒーター装置９ｃは、図１（ａ）図示の発熱部材１ａ及び図１（ｂ）図示の発熱部材１ｂ、給電部材７、制御部材８と、送風手段１３とを備えている。
【００３５】
図示の形態では、２枚の発熱部材１ａの間に４枚の発熱部材１ｂが、隣接する発熱部材１ａ又は発熱部材１ｂとの間に間隔を空けて並列配置され、４本の支持部材１６によって発熱部材１ａ、１ｂが支持されている。
【００３６】
給電部材７によって発熱部材１ａ、１ｂそれぞれの透明導電膜３が通電されると、発熱部材１ａの透明導電膜ガラス５の一方の面、及び発熱部材１ｂの両方の面が発熱し、隣接する発熱部材１ａと発熱部材１ｂとの間、及び隣接する発熱部材１ｂ同士の間に形成されている５つの空間部１７の空気が加温される。
【００３７】
送風手段１３は、各空間部１７の一方側から各空間部１７の内部に向けて送風する。
【００３８】
発熱部材１ａ、１ｂそれぞれの透明導電膜ガラス５が発熱することによって加温された各空間部１７の内部の空気は、送風手段１３によって、矢印１５の方向へ送風され、対象となる空間が暖められる。
【００３９】
図１図示の発熱部材１ａ、１ｂでは、上述したように、ガラス板２の一方又は両方の面に酸化錫を基剤とする透明半導体セラミックスを蒸着してなる透明導電膜３に電極６を加工・取付・通電することで透明導電膜ガラス５が発熱する。そして、透明導電膜ガラス５は化学的に安定した透明性と導電性、表１のような温度特性を有している。
【００４０】
したがって、例えば、自動車等の車内空間の暖房効果を高める等、暖房機能に優れた透明導電膜ガラスヒーター装置を提供することができる。
【００４１】
［第四の実施形態］
図５図示の透明導電膜ガラスヒーター装置９ｄは、図１（ａ）図示の発熱部材１ａ、給電部材７（不図示）、制御部材８（不図示）とを備えている。
【００４２】
図示の形態は、発熱部材１ａが略コ字状に屈曲し、発熱部材１ａの長手方向の両端部に側板が取り付けられてなる浴槽１８の一例である。
【００４３】
図示の形態では、浴槽１８を構成する床面１９（底面部）が発熱部材１ａで形成され、側壁面２０がガラス板で形成されている。
【００４４】
図示の形態の他、浴槽１８を構成する床面１９及び側壁面２０が図１図示の発熱部材１ａ又は発熱部材１ｂで形成されていてもよい。
【００４５】
給電部材７によって透明導電膜３が通電されると、透明導電膜ガラス５の一方の面である床面１９が発熱し、浴槽内の空気が加温される。
【００４６】
図１（ａ）図示の発熱部材１ａでは、上述したように、ガラス板２の一方面に酸化錫を基剤とする透明半導体セラミックスを蒸着してなる透明導電膜３に電極６を加工・取付・通電することで透明導電膜ガラス５が発熱する。そして、透明導電膜ガラス５は化学的に安定した透明性と導電性、表１のような温度特性を有している。
【００４７】
したがって、加熱だけでなく、保温機能にも優れた浴槽型の透明導電膜ガラスヒーター装置を提供することができる。
【００４８】
また、図示していないが、加熱・保温を行う部分を透明導電膜３とし、透明導電膜３が形成されている以外の面に光の点滅を行わせる、任意の箇所に映像表示を行わせる等の情報表示手段を備える構成とすることで、入浴時の趣向が高まる透明導電膜ガラスヒーター装置を提供することができる。
【００４９】
［第五の実施形態］
図６図示の透明導電膜ガラスヒーター装置９ｅは、図１（ａ）図示の発熱部材１ａと給電部材７、制御部材８、食材を透明導電膜３が形成されている面に載置するための載置補助部材２１を備える加熱調理機器の一例として、トースターを表すものである。
【００５０】
図示の形態では、２枚の発熱部材１ａが、透明導電膜３が形成されている面が互いに対向するように所定の間隔を空けて配置され、２本の支持部材１６によって２枚の発熱部材１ａが支持されている。また、２枚の発熱部材１ａのうち、一方の発熱部材１ａ（図示の例では上側の発熱部材１ａ）が、透明導電膜３が形成されている面が互いに対抗する方向（矢印２２）へ移動可能に支持されている。
【００５１】
図１（ａ）図示の発熱部材１ａでは、上述したように、ガラス板２の一方の面に酸化錫を基剤とする透明半導体セラミックスを蒸着してなる透明導電膜３に電極６を加工・取付・通電することで透明導電膜ガラス５が発熱する。そして、透明導電膜ガラス５は化学的に安定した透明性と導電性、表１のような温度特性を有している。
【００５２】
したがって、加熱機能に優れた透明導電膜ガラスヒーター装置を提供することができる。
【００５３】
以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【００５４】
１ａ、１ｂ  発熱部材
２  ガラス板
３  透明導電膜
４  絶縁膜
５  透明導電膜ガラス
６  電極
７  給電部材
８  制御部材
９ａ、９ｂ、９ｃ、９ｄ、９ｅ  透明導電膜ガラスヒーター装置
１０  筐体
１２  筒状体
１２ａ  内周面
１３  送風手段
１４  開口部
１６  支持部材
１７  空間部
１８  浴槽
１９  床面
２０  側壁面
２１  載置補助部材
【図１】
2019016475.tif 000004
【図２】
2019016475.tif 000005
【図３】
2019016475.tif 000006
【図４】
2019016475.tif 000007
【図５】
2019016475.tif 000008
【図６】
2019016475.tif 000009